(57)【要約】【課題】降雨の際に、作業員が安全に間接活線工事を行うことのできる間接活線工具を提供すること。【解決手段】間接活線工具１０は、構造物の高所で間接活線工事を行う際に用いられ、間接活線工事の際に作業員によって把持される把持棒部１１と、把持棒部に同軸的に連結された絶縁性の操作棒部１３とを有し、把持棒部を把持して操作棒部で前記間接活線工事を行う。雨水除防具２２が操作棒部に対して同心的に取り付けられており、雨水除防具は、上面、この上面と同心的に配置され前記上面よりも大きい下面、及び上面と下面とを繋ぐ周面を有し、上面が操作棒部の先端側に位置して、この上面の径は操作棒部の径よりも大きい。さらに、雨水除防具の上面と下面とは、その下面直下に位置する操作棒部の絶縁部分に雨水が伝わらないだけの距離だけ離れている。【選択図】図１
2009219255.tif 000002
【特許請求の範囲】
【請求項１】
構造物の高所で間接活線工事を行う際に用いられ、前記間接活線工事の際に作業員によって把持される把持棒部と、前記把持棒部に同軸的に連結された絶縁性の操作棒部とを有し、前記把持棒部を把持して前記操作棒部で前記間接活線工事を行うようにした間接活線工具であって、
前記操作棒部に対して同心的に取り付けられた絶縁性の第１の雨水除防具を有し、
前記第１の雨水除防具は、上面、該上面と同心的に配置され前記上面よりも大きい下面、及び該上面と前記下面とを繋ぐ周面を有し、
前記上面が前記操作棒部の先端側に位置し、該上面の径は前記操作棒部の径よりも大きく、かつ前記上面と前記下面とは前記下面直下に位置する前記操作棒部の絶縁部分に雨水が伝わらないだけの距離だけ離れていることを特徴とする間接活線工具。
【請求項２】
前記把持棒部と前記操作棒部との境界には、前記第１の雨水除防具と同形状の第２の雨水除防具がその上面を前記操作棒部側として配設されていることを特徴とする請求項１記載の間接活線工具。
【請求項３】
前記第２の雨水除防具は把持棒部の安全限界を規定する安全限界鍔としても用いられることを特徴とする請求項２記載の間接活線工具。
【発明の詳細な説明】
【技術分野】
【０００１】
本発明は、電柱間に架設される送配電線等を活線の状態で工事（所謂間接活線工事）を行う際に用いられる間接活線工具に関する。
【背景技術】
【０００２】
一般に、構造物等の高所、例えば、電柱間に架設される配電線等を活線状態で工事する間接活線工事においては、作業員が配電線（活線）に触れて感電しないようにしつつ、工事を行う必要があるため、間接活線工具が使用される。
【０００３】
間接活線工事の際には、作業内容に応じて間接活線工具の先端に種々の先端工具を選択的に取り付け（先端工具の付け替えを行い）、電柱上の配電線又は支持碍子等を目視しつつ活線作業を行うことになる。
【０００４】
ところで、間接活線工具は、一般に、間接活線工事の際に作業員によって把持される把持棒部と、この把持棒部に回動可能に連結された絶縁性の操作棒部とを有している。そして、操作棒部の先端に選択的に、前述の先端工具が装着される。このような間接活線工具では、感電防止のために、雨水等が絶縁性の操作棒部から下側の把持棒部に連続的に伝わらないようにする必要がある。
【０００５】
なお、配電線における碍子の割れ等を点検するための活線点検器具が知られており、この活線点検器具ではカメラを備え、活線点検器具を絶縁棒の先端に装着し、カメラで点検個所を撮影する。そして、得られた画像を無線にて地上の受信機に電送し、受信した画像を地上のモニターに表示して点検するようにしている（例えば、特許文献１参照）。
【特許文献１】特開２００３−９３２６号公報
【発明の開示】
【発明が解決しようとする課題】
【０００６】
間接活線工具においては、間接活線工具を用いて間接活線工事を行う際に、感電防止のために、雨水等が絶縁性の操作棒部から下側の把持棒部に連続的に伝わりにくくされているものの、従来の間接活線工具では、小雨程度であれば、雨水が操作棒部から把持棒部に連続的に伝わらなかったが、降雨状態が激しくなると、つまり、小雨以上の降雨状態となると、雨水が操作棒部から把持棒部に連続的に伝わってしまい、作業上の安全性の観点から好ましくない状態となる。
【０００７】
また、特許文献１においては、活線の点検を行う際に、活線点検器具の備えられたカメラで点検個所を撮影し、その画像を地上でモニターしているものの、降雨の際の安全性については何等考慮されていない。
【０００８】
従って、本発明は、降雨の際等に、電柱上等の高所で間接活線工事を行う場合、作業員が安全に間接活線工事を行うことのできる間接活線工具を提供することを目的とする。
【課題を解決するための手段】
【０００９】
（１）  本発明は、構造物の高所で間接活線工事を行う際に用いられ、前記間接活線工事の際に作業員によって把持される把持棒部と、前記把持棒部に同軸的に連結された絶縁性の操作棒部とを有し、前記把持棒部を把持して前記操作棒部で前記間接活線工事を行うようにした間接活線工具であって、前記操作棒部に対して同心的に取り付けられた絶縁性の第１の雨水除防具を有し、前記第１の雨水除防具は、上面、該上面と同心的に配置され前記上面よりも大きい下面、及び該上面と前記下面とを繋ぐ周面を有し、前記上面が前記操作棒部の先端側に位置し、該上面の径は前記操作棒部の径よりも大きく、かつ前記上面と前記下面とは前記下面直下に位置する前記操作棒部の絶縁部分に雨水が伝わらないだけの距離だけ離れていることを特徴とするものである。
【００１０】
（１）に記載の間接活線工具では、操作棒部に対して同心的に絶縁性の第１の雨水除防具を取り付け、第１の雨水除防具の上面がその下面よりも小さく、上面の径を操作棒部の径よりも大きくして、かつ上面と下面とを、下面直下に位置する操作棒部の絶縁部分に雨水が伝わらないだけの距離だけ離すようにしたので、つまり、上面と下面との距離を大きくしたので、雨水が絶縁部分に伝わることがなく、その結果、降雨の際等においても、作業員が安全に間接活線工事を行うことができる。
【００１１】
（２）  本発明は（１）に記載の間接活線工具において、前記把持棒部と前記操作棒部との境界には、前記第１の雨水除防具と同形状の第２の雨水除防具がその上面を前記操作棒部側として配設されていることを特徴とするものである。
【００１２】
（２）に記載の間接活線工具では、把持棒部と操作棒部との境界に、第２の雨水除防具を配設するようにしたので、操作棒部から連続的に把持棒部に雨水が伝わることがなく、その結果、より安全に間接活線工事を行うことができる。
【００１３】
（３）  本発明は（２）に記載の間接活線工具において、前記第２の雨水除防具は把持棒部の安全限界を規定する安全限界鍔としても用いられることを特徴とするものである。
【００１４】
（３）に記載の間接活線工具では、第２の雨水除防具を安全限界鍔としても用いるようにしたので、別に安全限界鍔を設ける必要がなく、安全性を高めてコスト軽減を図ることができる。
【発明の効果】
【００１５】
以上のように、本発明によれば、操作棒部に対して同心的に絶縁性の第１の雨水除防具を取り付けて、第１の雨水除防具の上面をその下面よりも小さくし、上面の径を操作棒部の径よりも大きくして、かつ上面と下面とを、下面直下に位置する操作棒部の絶縁部分に雨水が伝わらないだけの距離だけ離すようにしたから、雨水が絶縁部分に伝わることがなく、降雨の際等においても、作業員が安全に間接活線工事を行うことができるという効果がある。
【発明を実施するための最良の形態】
【００１６】
以下、本発明の実施形態について、図面を参照しながら説明する。図１は本発明の実施の形態による間接活線工具の一例を示す側面図である。図２は図１に示す間接活線工具の先端金具を示す図である。図３は図１に示すモニター部を側方から示す外観図である。図４は図１に示す間接活線工具を用いた高所作業の一例を示す図である。
【００１７】
図１において、間接活線工具１０は、丸棒状の把持棒部１１を有しており、この把持棒部１１の先端には第１の連結部１２が取り付けられている。この第１の連結部１２には所定の間隔をおいて、絶縁性の第１及び第２の操作棒部１３及び１４が配設され（これら操作棒部は丸棒状であり、例えば、ＦＲＰパイプである）、第１の操作棒部１３は第１の連結部１２に対して回動可能に配設されている。一方、第２の操作棒部１４は第１の連結部１２に固定されている。従って、第１の操作棒部１３は可動側絶縁棒と呼ばれ、第２の操作棒部１４は固定側絶縁棒と呼ばれることがある。
【００１８】
第１及び第２の操作棒部１３及び１４の先端は第２の連結部１５に連結されている。そして、第１の操作棒部１３は第２の連結部１５に回動可能に支持され、第２の操作棒部１４は第２の連結部１５に固定されている。第１の操作棒部１３に対応付けて、第２の連結部１５には先端金具１６（例えば、アルミニウム合金製）が配置され、第１の操作棒部１３が回動すると、先端金具１６が回動する。つまり、先端金具１６は第１の操作棒部１３に連結されていることになる。
【００１９】
図２に示すように、先端金具１６には、各種工具（例えば、電線皮剥ぎ器、テープ巻き器、広角クランプ、又は電線把持器等）を装着するための穴部１６ａが形成されており、この穴部１６ａに各種工具の端部（取り付け部）を挿入し、ボルト部１７を回動させて、ボルト部１７によって各種工具を穴部１６ａ、つまり、先端金具１６に保持する。
【００２０】
第２の連結部１５の側面には、第１の操作棒部１３側において外方向に突出する腕部１８が設けられており、この腕部１８の表面（上面）には、撮像部１９が保持されている。なお、この撮像部１９は、例えば、ＣＣＤカメラと送信機（画像処理部を含む）とを有している。
【００２１】
また、把持棒部１１にはモニター部２０が着脱可能に取り付けられており、このモニター部２０は、例えば、液晶表示装置及び受信機（画像処理部を含む）を有している。図３に示すように、モニター筐体２０ａの裏面には、一対の円弧状取り付け体２０ｂが備えられており、これら一対の取り付け体２０ｂで規定される円の直径は、把持棒部１１の径よりも僅かに小さく、取り付け体２０ｂを弾性体で形成すれば、これら取り付け体２０ｂで把持棒部１１を挟持したとき、モニター部２０を把持棒部１１の任意の位置に装着することができる。
【００２２】
モニター部２０が装着された位置よりも下側において、把持棒部１１には操作盤２１が取り付けられている。この操作盤２１は把持棒部１１内に内蔵されたモータ（図示せず）を駆動操作するためのものであり、操作盤２１には電源ボタン２１ａ、正転ボタン（Ｌ）２１ｂ、逆転ボタン（Ｒ）２１ｃが備えられている。
【００２３】
図１において、第１及び第２の操作棒部１３及び１４にはそれぞれ円錐台状の雨水除防具２２及び２３が同心的に取り付けられている（これら雨水除防具２２及び２３はいずれも第１の雨水除防具であり、同一形状である）。
【００２４】
雨水除防具２２は、上面、この上面と同心的に配置され上面よりも大きい下面、及び上面と下面とを繋ぐ周面を有し、雨水除防具２２の上面が操作棒部１３の先端側に位置し、上面の径は操作棒部１３の径よりも大きい。また、雨水除防具２２の上面と下面とは、その下面直下に位置する操作棒部１３の絶縁部分に雨水が伝わらないだけの距離だけ離れている。
【００２５】
つまり、図示のように雨水除防具２２及び２３の上面は、それぞれ第１の操作棒部１３及び１４の径よりも大きい。また、雨水除防具２２及び２３の長さは、雨水除防具２２及び２３の下側において、第１及び第２の操作棒部１３及び１４の絶縁部分に雨が伝わらないだけの十分な長さを有している。
【００２６】
同様にして、第１の連結部１２の直下において、つまり、把持棒部１１と操作棒部２２との境界において、把持棒部１１には、雨水除防具２４（第２の雨水除防具）が取り付けられており、この雨水除防具２４は、前述の雨水除防具２２及び２３とその同形状であるが、その大きさは雨水除防具２２及び２３よりも大きくするようにしてもよい。この雨水除防具２４によってその直下において把持棒部１１に雨水が伝わることを防止している。なお、雨水除防具２４は安全限界を示す安全限界鍔としても機能し、例えば、赤色の合成ゴム製である。
【００２７】
把持棒部１１内には、操作盤２１付近において、モータ（図示せず）が内蔵されるとともに、このモータに電源を供給するバッテリー（図示せず）が内蔵されている。そして、操作盤２１の操作によって、モータが選択的に正転又は逆転し、これによって、第１の操作棒部１３、つまり、先端金具１６が回動する。
【００２８】
また、撮像部１９にも電池（図示せず）が内蔵され、モニター部２０にも電池が内蔵されている。図示はしないが、撮像部１９及びモニター部２０にはそれぞれ電源スイッチが備えられており、撮像部１９で撮像された画像は、無線によってモニター部２０に送られて、モニター部２０で見ることができる。
【００２９】
図４を参照すると、間接活線工具１０を使用する際には、先端金具１６に当該間接活線工事に適した工具（例えば、電線皮剥ぎ器）３０を装着する。予め撮像部１９の電源をオンした後、作業員は電柱３１に上って、操作盤２１上の電源ボタン２１ａをオンする。
【００３０】
また、必要に応じてモニター部２０の電源をオンする。続いて、作業員は操作盤２１上の正転ボタン２１ｂ又は逆転ボタン２１ｃを押して、モータを正転又は逆転駆動し、第１の操作棒部１３を介して先端金具１６を回転させる。そして、工具３０を電線３２に対して所望の位置に位置付ける。
【００３１】
この際、工具３０付近が撮像部１９で撮像され、作業員の手元に位置するモニター部２０にその画像が映し出される。そして、作業員はモニター部２０の画面を見つつ、操作盤２１を操作して、モータを駆動し、工具３０の位置を微調整することになる。つまり、作業員から工具３０までの距離は遠いが、作業員の手元に位置するモニター部２０の画面には、工具３０付近の画像が映し出されているから、この画像を見れば、作業員は容易に工具３０付近の状況を把握することができる。
【００３２】
さらに、作業員は、操作盤２１上の正転ボタン２１ｂ又は逆転ボタン２１ｃによってモータを回転駆動させて、これによって、工具３０を所望の位置に位置付けることができるから、作業員の負担を軽減することができる。
【００３３】
特に、高所における作業においては、間接活線工具１０自体の位置を変えることなく、モータによって工具３０の位置を変えることができるから、作業員の安全が確保でき、しかも作業負担を軽減することができる。
【００３４】
さらに、間接活線工具１０には雨水除防具２２、２３、及び２４が備えられているから、雨天においても、把持棒部１１に雨水が伝わることがほとんどなく、この結果、把持棒部１１を把持する作業員が感電する等の自体を確実に防止することができる。
【００３５】
ところで、前述の撮像部１９の代わりに、光ファイバースコープを用いるようにしてもよい。図５は、光ファイバースコープを用いた間接活線工具１０を示す側面図である。図５において、図１に示す間接活線工具と同一の構成要素については同一の参照番号を付し、説明を省略する。
【００３６】
ファイバースコープ４０は、柔軟性のある光ファイバーを束にして、その一端（先端）にレンズ４１を取り付け、他端にアイピース又はカメラ（例えば、ＣＣＤ：図示せず）を取り付けたものである。光ファイバー４２は第２の連結部１５に支持され、第２の操作棒部１４、第１の連結部１２、及び把持棒部１１を通ってモニター部２０に接続されている（図５においては、モニター部２０は受信機を有していない）。
【００３７】
レンズ４１（先端）から取り入れた画像は光ファイバー４２を介して他端から出力される。そして、この画像は、例えば、ＣＣＤで電気信号に変換されて、モニター部２０に与えられ、モニター画面に表示される。
【００３８】
レンズ４１には、例えば、広角レンズを用いることが好ましく、広角レンズを用いれば先端金具１６に装着された工具付近を広視野に亘って確認することができる。また、把持棒部１１内に光源（図示せず）を備えて、光ファイバー４２を介して導光して目標物を照明するようにしてもよい。
【００３９】
なお、上述の実施の形態では、把持棒部１１内にバッテリーを備える例について説明したが、電柱に架設された電線から変圧器を介して電源を取るようにしてもよい。
【００４０】
上述のように、本実施の形態では、雨水除防具２２及び２３をそれぞれ操作棒部１３及び１４に配設し、さらに、操作棒部２２と把持棒部１１の境界に雨水除防具２４を配設したので、降雨中においても、絶縁部分を連続的に雨水が伝わることがなく、安全に間接活線工事を行うことができる。
【図面の簡単な説明】
【００４１】
【図１】本発明の実施の形態による間接活線工具の一例を示す側面図である。
【図２】図１に示す間接活線工具の先端金具を示す図であり、（ａ）は上面図、（ｂ）は側面図である。
【図３】図１に示すモニター部を側方から示す外観図である。
【図４】図１に示す間接活線工具を用いた高所作業の一例を示す図である。
【図５】本発明の実施の形態による間接活線工具の他の例を示す側面図である。
【符号の説明】
【００４２】
１０  間接活線工具
１１  把持棒部
１２，１５  連結部
１３，１４  操作棒部
１６  先端金具
１７  ボルト部
１８  腕部
１９  撮像部
２０  モニター部
２１  操作盤
２２，２３，２４  雨水除防具
３０  工具
３１  電柱
３２  電線
４０  ファイバースコープ
４１  レンズ
４２  光ファイバー
【図１】
2009219255.tif 000003
【図２】
2009219255.tif 000004
【図３】
2009219255.tif 000005
【図４】
2009219255.tif 000006
【図５】
2009219255.tif 000007